(57)【要約】【課題】  透明板の裏面が汚れないようにする。【解決手段】  第２ガラス１７の後面側に、透明シート２０を配設する。前面扉５の後面側に、上巻き取りローラ２１、下巻き取りローラ２２を取り付ける。透明シート２０の上側先端部を上巻き取りローラ２１に、下側先端部を下巻き取りローラ２２に取り付ける。上巻き取りモータ３１の回動軸３１ｂを上巻き取りローラ２１の挿入孔２１ａに、下巻き取りモータ３２の回動軸３２ｂを下巻き取りローラ２２の挿入孔２２ａに挿入する。受光量データ判定部２５ａで、受光センサ２９から送られてきた受光量データが、許容受光量データ以下であると判定された場合には、制御装置２５は、透明シート２０が第２ガラス１７の高さ方向の長さＬ１だけ上方に送られて上巻き取りローラ２１に巻き取られるように、上巻き取りモータ３１及び下巻き取りモータ３２の駆動を制御する。【選択図】        図３
2005253586.tif 000002
【特許請求の範囲】
【請求項１】
本体枠に保持される前面扉と、前記前面扉に保持され、前記本体枠の内部を視認可能にする透明板とを備えた遊技機において、
前記透明板の後面全体を覆う透視可能なシートと、
前記透明板の第１の側端よりも外側に設けられ、前記シートの先端部が取り付けられ、前記シートを巻き取る第１巻き取りローラと、
前記透明板の前記第１の側端とは反対側の第２の側端よりも外側に設けられ、前記シートの後端部が取り付けられ、前記シートを巻き取る第２巻き取りローラとを備えたことを特徴とする遊技機。
【請求項２】
前記第１巻き取りローラと前記第２巻き取りローラとの少なくとも一方を回転させるローラ駆動部と、前記駆動部の駆動を制御する制御装置とを備えたことを特徴とする請求項１記載の遊技機。
【請求項３】
前記シートの汚れを検知する汚れ検知部を備え、前記制御装置は、前記汚れ検知部が汚れを検知したことに応じて、前記ローラ駆動部を制御して、前記シートを前記シートの巻き取り方向における前記透明板の長さ以上前記第１巻き取りローラまたは前記第２巻き取りローラに巻き取らせることを特徴とする請求項２記載の遊技機。
【請求項４】
時間を計測する時間計測手段を備え、前記制御装置は、前記時間計測手段による計測時間が予め設定された時間となったことに応じて、前記ローラ駆動部を制御して、前記シートを前記シートの巻き取り方向における前記透明板の長さ以上前記第１巻き取りローラまたは前記第２巻き取りローラに巻き取らせることを特徴とする請求項２または３記載の遊技機。
【発明の詳細な説明】
【技術分野】
【０００１】
本発明は、パチンコ店等の遊技場に設置して使用されるパチンコ機等の遊技機に関するものである。
【背景技術】
【０００２】
現在、遊技場に設置されるパチンコ機は、本体枠に遊技盤が装着されており、この遊技盤には、各種入賞口や入賞球装置、障害釘などが設けられた遊技領域があり、球発射装置で打ち出されたパチンコ球をこの遊技領域で流下させることによってゲームが行われる。また、遊技盤の遊技領域は、透明なガラスや透明な強化プラスチックプレート製の透明板で覆われ、遊技の過程を遊技者が透視できるようになっている。ガラスは前面扉で保持され、この前面扉は、本体枠に回動可能に組み付けられている。前面扉は、通常、本体枠に施錠装置により施錠されており、ガラスの後面には接触することができなくなっている。鍵等の施錠媒体により本体枠と前面扉との施錠を解除することで、前面扉が回動可能となる。遊技中には、パチンコ球がガラスの後面に接触することがあり、この接触によりガラスの後面が汚れてしまう。そのため、ガラスの後面が汚れた場合には、遊技場の作業者が鍵により本体枠と前面扉との施錠を解除し、前面扉を開放（回動）してガラスの後面に接触することが可能な状態にして、ガラスの後面の拭き取り掃除を行い、綺麗にしている。
【発明の開示】
【発明が解決しようとする課題】
【０００３】
しかしながら、ガラスの後面を拭き取り掃除することは遊技場の作業者にとって手間のかかるものであり、さらには、透明なものは汚れが目立つため、作業者がガラスの後面を綺麗に拭き取り掃除するのは困難であった。また、遊技場の営業時間内にガラスの後面の拭き取り掃除を行うと、その掃除中はパチンコ機で遊技を行うことができなくなり、パチンコ機の稼働率が低下してしまうため、掃除を行うのは、遊技場の営業時間が終了した後に限定されてしまい、汚れたガラスは、その日の営業時間内は汚れたままの状態となっていた。さらに、パチンコ球がガラスの後面に接触すると、その接触により接触音が発生してしまい、遊技者に不快感を与えていた。
【０００４】
本発明は、上記従来技術の問題を解決するためになされたものであり、透明板の後面が汚れないようにした遊技機を提供することを目的とする。
【課題を解決するための手段】
【０００５】
上記目的を達成するために、本発明の遊技機は、本体枠に保持される前面扉と、前記前面扉に保持され、前記本体枠の内部を視認可能にする透明板とを備えた遊技機において、前記透明板の後面全体を覆う透視可能なシートと、前記透明板の第１の側端よりも外側に設けられ、前記シートの先端部が取り付けられ、前記シートを巻き取る第１巻き取りローラと、前記透明板の前記第１の側端とは反対側の第２の側端よりも外側に設けられ、前記シートの後端部が取り付けられ、前記シートを巻き取る第２巻き取りローラとを備えたことを特徴とする。
【０００６】
なお、前記第１巻き取りローラと前記第２巻き取りローラとの少なくとも一方を回転させるローラ駆動部と、前記ローラ駆動部の駆動を制御する制御装置とを備えることが好ましい。
【０００７】
また、前記シートの汚れを検知する汚れ検知部を備え、前記制御装置は、前記汚れ検知部が汚れを検知したことに応じて、前記ローラ駆動部を制御して、前記シートを前記シートの巻き取り方向における前記透明板の長さ以上前記第１巻き取りローラまたは前記第２巻き取りローラに巻き取らせることが好ましい。
【０００８】
さらに、時間を計測する時間計測手段を備え、前記制御装置は、前記時間計測手段による計測時間が予め設定された時間となったことに応じて、前記ローラ駆動部を制御して、前記シートを前記シートの巻き取り方向における前記透明板の長さ以上前記第１巻き取りローラまたは前記第２巻き取りローラに巻き取らせることが好ましい。
【発明の効果】
【０００９】
本発明の遊技機によれば、本体枠に保持される前面扉と、前面扉に保持され、本体枠の内部を視認可能にする透明板と、透明板の後面全体を覆う透視可能なシートと、透明板の第１の側端よりも外側に設けられ、シートの先端部が取り付けられ、シートを巻き取る第１巻き取りローラと、透明板の第１の側端とは反対側の第２の側端よりも外側に設けられ、シートの後端部が取り付けられ、シートを巻き取る第２巻き取りローラとを備えたから、透明板の後面全体を覆う透視可能なシートにより透明板の後面全体を覆うことにより、透明板の後面が汚れるのを防止することができ、さらには、透明板の第１の側端よりも外側に設けられ、シートの先端部が取り付けられ、シートを巻き取る第１巻き取りローラと、透明板の第１の側端とは反対側の第２の側端よりも外側に設けられ、シートの後端部が取り付けられ、シートを巻き取る第２巻き取りローラとを回転し、シートを第１巻き取りローラまたは第２巻き取りローラに巻き取らせることにより、第１巻き取りローラと第２巻き取りローラとの間に位置し、透明板を通して視認される部分のシートを、綺麗な状態のものにすることができる。
【００１０】
さらに、第１巻き取りローラと第２巻き取りローラとの少なくとも一方を回転させるローラ駆動部と、ローラ駆動部の駆動を制御する制御装置とを備えたから、制御装置により、ローラ駆動部の駆動を制御して、第１巻き取りローラと第２巻き取りローラとの少なくとも一方を回転させることにより、容易にシートを第１巻き取りローラまたは第２巻き取りローラに巻き取らせることができる。
【００１１】
また、シートの汚れを検知する汚れ検知部を備え、制御装置は、汚れ検知部が汚れを検知したことに応じて、ローラ駆動部を制御して、シートをシートの巻き取り方向における透明板の長さ以上第１巻き取りローラまたは第２巻き取りローラに巻き取らせるから、制御装置は、汚れ検知部が汚れを検知した場合には、ローラ駆動部を制御して、シートをシートの巻き取り方向における透明板の長さ以上第１巻き取りローラまたは第２巻き取りローラに巻き取らせることができ、シートがシートの巻き取り方向における透明板の長さ以上第１巻き取りローラまたは第２巻き取りローラに巻き取られると、第１巻き取りローラと第２巻き取りローラとの間に位置し、透明板を通して視認される部分のシートを、綺麗な状態のものにすることができるため、制御装置は、汚れ検知部が汚れを検知したことに応じて、第１巻き取りローラと第２巻き取りローラとの間に位置し、透明板を通して視認される部分のシートを、綺麗な状態のものにすることができる。
【００１２】
さらに、時間を計測する時間計測手段を備え、制御装置は、時間計測手段による計測時間が予め設定された時間となったことに応じて、ローラ駆動部を制御して、シートをシートの巻き取り方向における透明板の長さ以上第１巻き取りローラまたは第２巻き取りローラに巻き取らせるから、時間計測手段による計測時間が予め設定された時間となったことに応じて、制御装置は、ローラ駆動部を制御して、シートをシートの巻き取り方向における透明板の長さ以上第１巻き取りローラまたは第２巻き取りローラに巻き取らせることができ、シートがシートの巻き取り方向における透明板の長さ以上第１巻き取りローラまたは第２巻き取りローラに巻き取られると、第１巻き取りローラと第２巻き取りローラとの間に位置し、透明板を通して視認される部分のシートを、綺麗な状態のものにすることができるため、制御装置は、時間計測手段による計測時間が予め設定された時間となったことに応じて、第１巻き取りローラと第２巻き取りローラとの間に位置し、透明板を通して視認される部分のシートを、綺麗な状態のものにすることができる。
【発明を実施するための最良の形態】
【００１３】
図１に示すように、遊技機の１実施例であるパチンコ機２は、本体枠３の内部に遊技盤４が配設されており、本体枠３の前面には前面扉５が開閉自在に取り付けられている。前面扉５の下方には、打球供給用の供給皿６及びパチンコ球７の打ち出し強さを調節する操作ハンドル８が設けられている。遊技盤４のパチンコ球７が打ち出される遊技領域４ａの略中央には、予め定められた入賞口へパチンコ球７を入賞させるなどの所定入賞条件に基づいて遊技中に様々な図柄を液晶画面に所定時間内において変動表示させた後に停止表示させる図柄可変表示装置９が設けられている。図柄可変表示装置９の周りには、始動入賞口１０、通常入賞口１１、アタッカ１２、アウト口１３が設けられている。遊技者は、供給皿６にパチンコ球７を投入してパチンコ球７を供給皿６内に設けられた誘導路を介して球発射装置へと導き、回動式の操作ハンドル８を所定量回動して球発射装置の駆動を制御することで、遊技盤４の遊技領域４ａの上方に向けてパチンコ球７を打ち出す。打ち出されたパチンコ球７は遊技領域４ａの上方から流下する途中で各入賞口１０〜１２のいずれかに入るか、あるいはアウト口１３から回収される。なお、パチンコ機２の遊技領域４ａに設けられている複数の釘、風車などの構造物は公知であるので説明は省略する。
【００１４】
図２に示すように、前面扉５は、周知のような施錠装置により本体枠３の前面に施錠されており、施錠媒体としての鍵の操作により施錠が解除されると、前面扉５は開放される。前面扉５の中心部には、開口５ａ（図３参照）が形成されており、前面扉５の内側には、ガラス扉１５が着脱自在で交換可能に取り付けられている。ガラス扉１５には、板状の透視可能な第１ガラス１６と板状の透視可能な第２ガラス（透明板）１７とが取り付けられており、第１ガラス１６はガラス扉１５の前面側に、第２ガラス１７はガラス扉１５の後面側（遊技盤４側）にそれぞれ取り付けられている。ガラス扉１５は、ガラス扉固定部材１９によって固定される。これにより、前面扉５を本体枠３に施錠すると、遊技者やパチンコ機２が設置される遊技場の作業者は、第１ガラス１６、第２ガラス１７を通して遊技盤４の遊技領域４ａを流下していくパチンコ球７を見ることはできるが、遊技盤４にはもちろんのこと本体枠３の内部にも触れることができないようになっている。
【００１５】
第２ガラス１７の後面側には、透視可能な無色の透明シート（シート）２０が配設されており、前面扉５の後面側の第２ガラス１７の上端（第１の側端）よりも上側には透明シート２０を巻き取るための上巻き取りローラ（第１巻き取りローラ）２１が、前面扉５の後面側の第２ガラス１７の下端（第２の側端）よりも下側には透明シート２０を巻き取るための下巻き取りローラ（第２巻き取りローラ）２２が、それぞれ回転自在に設けられている。透明シート２０の上側先端部（先端部）は上巻き取りローラ２１に、透明シート２０の下側先端部（後端部）は下巻き取りローラ２２にそれぞれ取り付けられており、透明シート２０は下巻き取りローラ２２にロール状に巻回されている。
【００１６】
本体枠３の内部には、制御装置２５が組み付けられている。前面扉５の後面の左側端部の上側端部には、巻き取りスイッチ２７が設けられており、この巻き取りスイッチ２７は、制御装置２５に接続されている。巻き取りスイッチ２７を操作すると、巻き取り信号が制御装置２５に送られ、制御装置２５は、送られてきた巻き取り信号に基づき、後述する上巻き取りモータ３１及び下巻き取りモータ３２の駆動を制御する。
【００１７】
前面扉５の後面の左側端部には、投光する投光センサ２８が、前面扉５の後面の右側端部には、受光する受光センサ２９が取り付けられている。投光センサ２８は、前面扉５の後面の左側端部から右側端部に向けて投光するものであり、投光された光が透明シート２０の後面の表面上を通過する位置に取り付けられている。受光センサ２９は、投光センサ２８から投光され、透明シート２０の後面の表面上を通過した光を受光する位置に取り付けられている。投光センサ２８及び受光センサ２９は、それぞれ制御装置２５に接続されている。受光センサ２９は、投光センサ２８から投光された光を受光し、その受光量を受光量データとして制御装置２５に送る。本実施形態では、透明シート２０の汚れを検知する汚れ検知部は、投光センサ２８と受光センサ２９とから構成される。なお、透明シート２０の前面側または後面側に、透明シート２０の前面または後面に向けて投光する投光センサ２８を取り付け、透明シート２０の前面側または後面側であって投光センサ２８から投光されて透明シート２０を透過した光を受光する位置に受光センサ２９を取り付けてもよい。この場合には、透明シート２０の前面及び後面の汚れを検知することができる。また、透明シート２０の汚れを検知する汚れ検知部を、透明シート２０に投光するとともに、透明シート２０で反射した光を受光する反射型センサから構成してもよく、この場合には、反射型センサを制御装置２５に接続し、制御装置２５は、反射型センサの照度が予め設定された値に達しなくなったか否かを判定することによって、透明シート２０の汚れを検出する。
【００１８】
図３に示すように、透明シート２０の上側先端部は上巻き取りローラ２１に、透明シート２０の下側先端部は下巻き取りローラ２２にそれぞれ取り付けられており、透明シート２０は下巻き取りローラ２２にロール状に巻回されている。上巻き取りローラ２１を図３中Ａ方向に回転すると、透明シート２０が上方（図３中Ｂ方向）に送られるとともに下巻き取りローラ２２が図３中Ａ方向に回転し、透明シート２０は上巻き取りローラ２１に巻き取られる。同様にして、下巻き取りローラ２２を図３中Ｃ方向に回転すると、透明シート２０は下方（図３中Ｄ方向）に送られるとともに上巻き取りローラ２１が図３中Ｃ方向に回転し、透明シート２０は下巻き取りローラ２２に巻き取られる。前面扉５の後面には、透明シート２０の受けとしてのシート受け部５ｂが形成されており、このシート受け部５ｂは、前面扉５の後面の上側端部と下側端部とにそれぞれ形成されている。シート受け部５ｂは、透明シート２０と接触する先端部が、透明シート２０を傷つけないようにＲ状に形成されている。
【００１９】
図４に示すように、上巻き取りローラ２１には、挿入孔２１ａが形成されており、この挿入孔２１ａは、上巻き取りローラ２１を回転する際の回転中心となる。図２では図示は省略したが、前面扉５の後面側には、上巻き取りローラ２１を回転させるための上巻き取りモータ（ローラ駆動部）３１と、下巻き取りローラ２２を回転させるための下巻き取りモータ（ローラ駆動部）３２とが取り付けられている。上巻き取りモータ３１は、本体部３１ａと、本体部３１ａに回転自在に設けられた回転軸３１ｂとからなり、回転軸３１ｂは挿入孔２１ａに挿入されており、回転軸３１ｂの回転に応じて上巻き取りローラ２１が回転する。下巻き取りローラ２２には、挿入孔２２ａが形成されており、この挿入孔２２ａは、下巻き取りローラ２２を回転する際の回転中心となる。下巻き取りモータ３２は、本体部３２ａと、本体部３２ａに回転自在に設けられた回転軸３２ｂとからなり、回転軸３２ｂは挿入孔２２ａに挿入されており、回転軸３２ｂの回転に応じて下巻き取りローラ２２が回転する。上巻き取りモータ３１及び下巻き取りモータ３２は、制御装置２５に接続されており、この制御装置２５により、上巻き取りモータ３１及び下巻き取りモータ３２は駆動が制御され、回転軸３１ｂ，３２ｂの回転開始及び停止や回転方向などが制御される。なお、上巻き取りモータ３１及び下巻き取りモータ３２は、その駆動が停止すると、制御装置２５により、上巻き取りモータ３１の回転軸３１ｂは図４中Ｃ方向に回転しないように、下巻き取りモータ３２の回転軸３２ｂは図４中Ａ方向に回転しないようにそれぞれ制御される。これにより、上巻き取りローラ２１と下巻き取りローラ２２との間に位置し、第１ガラス１６、第２ガラス１７を通して視認される部分の透明シート２０がたるまないようにされる。
【００２０】
制御装置２５には、受光量データ判定部２５ａと、ＲＯＭ２５ｂとが設けられており、ＲＯＭ２５ｂには、予め設定した許容受光量データが記憶されている。受光量データ判定部２５ａは、受光センサ２９から送られてきた受光量データと、ＲＯＭ２５ｂに記憶された許容受光量データとを比較し、受光量データが許容受光量データ以下か否かを判定する。投光センサ２８と受光センサ２９との間にゴミ等の遮蔽物がある場合には、受光センサ２９による受光量が減少する。そして、受光量データ判定部２５ａで、受光センサ２９から送られてきた受光量データが許容受光量データ以下であると判定された場合には、制御装置２５は、透明シート２０が第２ガラス１７の高さ方向（巻き取り方向）の長さＬ１（図３参照）だけ上方（図３中Ｂ方向）に送られて上巻き取りローラ２１に巻き取られるように、上巻き取りモータ３１及び下巻き取りモータ３２の駆動を制御して回転軸３１ｂ，３２ｂを図４中Ａ方向に回転し、上巻き取りローラ２１及び下巻き取りローラ２２を図３中Ａ方向に回転する。
【００２１】
上記のように構成されたパチンコ機２の作用について説明する。遊技者が、操作ハンドル８を操作してパチンコ球７を打ち出させると、打ち出されたパチンコ球７は、遊技領域４ａの上方から流下する途中で各入賞口１０〜１２のいずれかに入るか、あるいはアウト口１３から回収される。パチンコ球７が遊技領域４ａの上方から流下する途中で透明シート２０の後面に接触すると、透明シート２０の後面にゴミ等の異物が付着する。透明シート２０の後面にゴミが付着すると、投光センサ２８から投光された光がゴミに当り、ゴミに当たった光は拡散してしまうため、受光センサ２９に到達する光量が減少し、受光センサ２９での受光量が減少する。そして、制御装置２５の受光量データ判定部２５ａで、受光センサ２９で受光した受光量に応じた受光量データが、ＲＯＭ２５ｂに記憶された許容受光量データ以下であると判定された場合には、制御装置２５は、透明シート２０が第２ガラス１７の高さ方向の長さＬ１だけ上方（図３中Ｂ方向）に送られて上巻き取りローラ２１に巻き取られるように、上巻き取りモータ３１及び下巻き取りモータ３２の駆動を制御して回転軸３１ｂ，３２ｂを図４中Ａ方向に回転し、上巻き取りローラ２１及び下巻き取りローラ２２を図３中Ａ方向に回転する。これにより、上巻き取りローラ２１と下巻き取りローラ２２との間に位置し、第１ガラス１６、第２ガラス１７を通して視認される部分の透明シート２０は、ゴミの付着していない綺麗なものとなる。これが、複数回行われると、図５に示すように、透明シート２０が上巻き取りローラ２１と下巻き取りローラ２２とにそれぞれロール状に巻回された状態となる。
【００２２】
また、制御装置２５の受光量データ判定部２５ａで、受光センサ２９で受光した受光量に応じた受光量データが、ＲＯＭ２５ｂに記憶された許容受光量データ以下であると判定されていないが、遊技場の作業者が透明シート２０が汚れていると判断した場合には、遊技場の作業者は、鍵の操作により本体枠３と前面扉５との施錠を解除して、前面扉５を開放し、巻き取りスイッチ２７を操作する。巻き取りスイッチ２７を操作すると、巻き取り信号が制御装置２５に送られ、制御装置２５は、送られてきた巻き取り信号に基づき、透明シート２０が第２ガラス１７の高さ方向の長さＬ１（図３参照）だけ上方（図３中Ｂ方向）に送られて上巻き取りローラ２１に巻き取られるように、上巻き取りモータ３１及び下巻き取りモータ３２の駆動を制御して回転軸３１ｂ，３２ｂを図４中Ａ方向に回転し、上巻き取りローラ２１及び下巻き取りローラ２２を図３中Ａ方向に回転する。
【００２３】
上記した透明シート２０の巻き取りを所定回数行うと、図６に示すように、下巻き取りローラ２２に透明シート２０が巻回されていない状態となる。制御装置２５は、これに応じて、制御装置２５の受光量データ判定部２５ａで、受光センサ２９で受光した受光量に応じた受光量データが、ＲＯＭ２５ｂに記憶された許容受光量データ以下であると判定された場合や、巻き取りスイッチ２７が操作され、巻き取りスイッチ２７から巻き取り信号が送られてきた場合には、透明シート２０が第２ガラス１７の高さ方向の長さＬ１だけ下方（図６中Ｄ方向）に送られて下巻き取りローラ２２に巻き取られるように、上巻き取りモータ３１及び下巻き取りモータ３２の駆動を制御して回転軸３１ｂ，３２ｂを図４中Ｃ方向に回転し、上巻き取りローラ２１及び下巻き取りローラ２２を図６中Ｃ方向に回転する。そして、上巻き取りローラ２１に透明シート２０が巻回されていない状態となると、制御装置２５は、透明シート２０が第２ガラス１７の高さ方向の長さＬ１だけ上方（図６中Ｂ方向）に送られて上巻き取りローラ２１に巻き取られるように、上巻き取りモータ３１及び下巻き取りモータ３２の駆動を制御する。すなわち、制御装置２５は、下巻き取りローラ２２に透明シート２０が巻回されていない状態となると、透明シート２０が第２ガラス１７の高さ方向の長さＬ１だけ下方（図６中Ｄ方向）に送られて下巻き取りローラ２２に巻き取られるように、上巻き取りモータ３１及び下巻き取りモータ３２の駆動をし、上巻き取りローラ２１に透明シート２０が巻回されていない状態となると、制御装置２５は、透明シート２０が第２ガラス１７の高さ方向の長さＬ１だけ上方（図６中Ｂ方向）に送られて上巻き取りローラ２１に巻き取られるように、上巻き取りモータ３１及び下巻き取りモータ３２の駆動を制御する。これを繰り返し行うことにより、透明シート２０を交換することなく、透明シート２０の巻き取りを行うことができる。
【００２４】
このように、透明シート２０の後面にゴミが付着し、受光センサ２９での受光量が減少し、制御装置２５の受光量データ判定部２５ａで、受光センサ２９で受光した受光量に応じた受光量データが、ＲＯＭ２５ｂに記憶された許容受光量データ以下であると判定された場合には、制御装置２５は、透明シート２０が第２ガラス１７の高さ方向の長さＬ１だけ上方に送られて上巻き取りローラ２１に巻き取られるように、上巻き取りモータ３１及び下巻き取りモータ３２の駆動を制御して回転軸３１ｂ，３２ｂを回転し、上巻き取りローラ２１及び下巻き取りローラ２２を回転するから、上巻き取りローラ２１と下巻き取りローラ２２との間に位置し、第１ガラス１６、第２ガラス１７を通して視認される部分の透明シート２０を、ゴミの付着していない綺麗なものにすることができる。さらに、第２ガラス１７の後面側に、透明シート２０を配設したから、パチンコ球７が遊技領域４ａの上方から流下する途中で第２ガラス１７に接触することがなく、第２ガラス１７の後面を常に綺麗な状態に保つことができるとともに、パチンコ球７が第２ガラス１７に接触することにより発生する接触音の発生を防止することができる。なお、ＲＯＭ２５ｂに記憶された許容受光量データは、適宜変更することができ、この許容受光量データを変更することにより、透明シート２０の後面にどの程度のゴミが付着すると、透明シート２０を上巻き取りローラ２１に巻き取らせ、第１ガラス１６、第２ガラス１７を通して視認される部分の透明シート２０を、ゴミの付着していない綺麗なものにするかを設定することができる。
【００２５】
また、制御装置２５は、上巻き取りローラ２１と下巻き取りローラ２２との間に位置し、第１ガラス１６、第２ガラス１７を通して視認される部分の透明シート２０を、ゴミの付着していない綺麗なものにするときに、透明シート２０を必要最低限の長さである第２ガラス１７の高さ方向の長さＬ１だけ上方に送り上巻き取りローラ２１に巻き取られせるから、透明シート２０の長さ方向の無駄を抑えることができる。
【００２６】
さらに、巻き取りスイッチ２７を操作すると、巻き取り信号が制御装置２５に送られ、制御装置２５は、送られてきた巻き取り信号に基づき、透明シート２０が第２ガラス１７の高さ方向の長さＬ１だけ上方に送られて上巻き取りローラ２１に巻き取られるように、上巻き取りモータ３１及び下巻き取りモータ３２の駆動を制御して回転軸３１ｂ，３２ｂを回転し、上巻き取りローラ２１及び下巻き取りローラ２２を回転するから、制御装置２５の受光量データ判定部２５ａで、受光センサ２９で受光した受光量に応じた受光量データが、ＲＯＭ２５ｂに記憶された許容受光量データ以下であると判定されていないが、遊技場の作業者が透明シート２０の後面が汚れていると判断した場合には、巻き取りスイッチ２７を操作するだけで、上巻き取りローラ２１と下巻き取りローラ２２との間に位置し、第１ガラス１６、第２ガラス１７を通して視認される部分の透明シート２０を、ゴミの付着していない綺麗なものにすることができる。これにより、透明シート２０の後面の汚れ（ゴミ付着）確認を、投光センサ２８、受光センサ２９、制御装置２５によるものと、遊技場の作業者の目視によるものとの２つの工程で行うことができる。
【００２７】
なお、上記実施形態では、光センサ２９で受光した受光量に応じた受光量データが、ＲＯＭ２５ｂに記憶された許容受光量データ以下であると判定された場合と、巻き取りスイッチ２７を操作された場合とには、制御装置２５は、透明シート２０が第２ガラス１７の高さ方向の長さＬ１だけ上方に送られて、上巻き取りローラ２１に巻き取られるように、上巻き取りモータ３１及び下巻き取りモータ３２の駆動を制御したが、透明シート２０を第２ガラス１７の高さ方向の長さＬ１以上、上巻き取りローラ２１に巻き取らせればよく、透明シート２０を第２ガラス１７の高さ方向の長さＬ１を越えた長さ（例えば、Ｌ１プラス１００ｍｍ）だけ上巻き取りローラ２１に巻き取らせるようにしてもよい。この場合には、透明シート２０は、第２ガラス１７の上端よりも上側の部分が１００ｍｍの範囲で綺麗なものになっており、遊技者が、前面扉５の前面側の下方から斜め方向の角度で、第２ガラス１７の上側端部を観察し、第２ガラス１７の上端よりも上側に位置する部分の透明シート２０を観察した場合にも、遊技者に綺麗な透明シート２０を観察させることができる。
【００２８】
また、上記実施形態では、前面扉５の後面側の第２ガラス１７の上端よりも上側に上巻き取りローラ２１を、前面扉５の後面側の第２ガラス１７の下端よりも下側に下巻き取りローラ２２を、それぞれ回転自在に取り付け、透明シート２０を上下方向に送ったが、前面扉５の後面側の第２ガラス１７の左端（第１の側端）よりも左側に左巻き取りローラを、前面扉５の後面側の第２ガラス１７の右端（第２の側端）よりも右側に右巻き取りローラを、それぞれ回転自在に取り付け、透明シート２０を左右方向に送るようにしてもよく、適宜変更されるものである。
【００２９】
さらに、上記実施形態では、前面扉５の後面の左側端部に投光センサ２８を、前面扉５の後面の右側端部に受光センサ２９を取り付けたが、これに限定されることなく、投光センサ２８は、投光された光が透明シート２０の後面の表面上を通過する位置に取り付けられ、受光センサ２９は、投光センサ２８から投光され、透明シート２０の後面の表面上を通過した光を受光する位置に取り付けられていればよく、前面扉５の後面の上側端部に投光センサ２８を、前面扉５の後面の下側端部に受光センサ２９をそれぞれ取り付けてもよく、適宜変更されるものである。
【００３０】
また、上記実施形態では、上巻き取りローラ２１を回転させるための上巻き取りモータ３１と、下巻き取りローラ２２を回転させるための下巻き取りモータ３２とを設けたが、上巻き取りモータ３１と下巻き取りモータ３２との少なくとも一方が設けられていればよく、例えば、上巻き取りモータ３１のみを設け、下巻き取りローラ２２をいわゆるフリーローラ（下巻き取りローラ２２を駆動するものがない）とした場合には、上巻き取りモータ３１の駆動に応じて回転される上巻き取りローラ２１により、透明シート２０を上方向に送って上巻き取りローラ２１に巻き取らせ、上方向に送られる透明シート２０により下巻き取りローラ２２を回転させる。
【００３１】
さらに、上記実施形態では、遊技機の１例としてのパチンコ機２に本発明を実施したが、スロットマシンに実施してもよく、その場合には、透明シート２０を、外周面に複数種類の図柄が一定ピッチで配列された複数のリールを視認可能にする表示窓を有するガラスの後面側に配設する。
【００３２】
図７及び図８に他の実施形態を示す。上記実施形態のものと同様の構成部材には同一の符号を付し、その詳細な説明を簡略化する。この実施形態では、図７に示すように、透明シート２０には、第１ガラス１６、第２ガラス１７を通して視認可能であってアタッカ１２の右側に位置する位置に情報表示領域ＩＡが設けられており、この情報表示領域ＩＡには日付（情報）が印字されている。情報表示領域ＩＡは、第２ガラス１７の高さ方向の長さＬ１のピッチで複数設けられている。例えば、透明シート２０が下巻き取りローラ２２にロール状に巻回されているが、上巻き取りローラ２１には巻回されていないときの情報表示領域ＩＡには、「１月１日」と印字されており、図８に示すように、制御装置２５により、透明シート２０が第２ガラス１７の高さ方向の長さＬ１だけ上方に送られて上巻き取りローラ２１に巻き取られたときの情報表示領域ＩＡには、「１月２日」と印字されている。同様にして、透明シート２０の第２ガラス１７の高さ方向の長さＬ１のピッチで複数設けられた情報表示領域ＩＡには、「１月３日」「１月４日」・・・・・「１２月３１日」と、１日毎の日付が順に印字されている。また、本体枠３の内部には、タイマ（時間計測手段）３５が設けられており、このタイマ３５は制御装置２５に接続されている。タイマ３５は、遊技場の営業開始時間（例えば、１０：００）の例えば３０分前（９：３０）になると、制御装置２５に駆動信号を送る。制御装置２５は、送られてきた駆動信号に応じて、透明シート２０が第２ガラス１７の高さ方向の長さＬ１だけ上方に送られて上巻き取りローラ２１に巻き取られるように、上巻き取りモータ３１及び下巻き取りモータ３２の駆動を制御する。これにより、遊技場の営業開始時間（１０：００）には、上巻き取りローラ２１と下巻き取りローラ２２との間に位置し、第１ガラス１６、第２ガラス１７を通して視認される部分の透明シート２０を、ゴミの付着していない綺麗なものにすることができる。また、実際の日付と、第１ガラス１６、第２ガラス１７を通して視認される透明シート２０の情報表示領域ＩＡに印字された日付とを一致させることにより、遊技者は、透明シート２０の情報表示領域ＩＡに印字された日付によりその日の日付を確認することができる。
【００３３】
なお、上記実施形態では、透明シート２０の情報表示領域ＩＡに、１日毎の日付を印字し、１日が経過すると透明シート２０を第２ガラス１７の高さ方向の長さＬ１だけ上方に送り、上巻き取りローラ２１に巻き取らせたが、情報表示領域ＩＡに印字する情報は１日毎の日付に限定されることなく、例えば、遊技場の営業開始時間（１０：００）から営業終了時間（例えば、２３：００）までの間の１時間毎の時間を印字し（「１０：００」「１１：００」「１２：００」・・・「２３：００」）、１時間が経過すると透明シート２０を第２ガラス１７の高さ方向の長さＬ１だけ上方に送り、上巻き取りローラ２１に巻き取らせるようにしてもよい。
【図面の簡単な説明】
【００３４】
【図１】本発明を実施したパチンコ機の外観を示す斜視図である。
【図２】前面扉を開けた状態のパチンコ機を示す斜視図である。
【図３】前面扉、第１ガラス、第２ガラス、透明シート、上巻き取りローラ、下巻き取りローラを示す側面断面図である。
【図４】上巻き取りローラ、下巻き取りローラ、上巻き取りモータ、下巻き取りモータを示す分解斜視図である。
【図５】透明シートが上巻き取りローラに巻き取られた状態を示す側面断面図である。
【図６】透明シートが上巻き取りローラに巻き取られた状態を示す側面断面図である。
【図７】透明シートに日付を印字した実施形態をしめすパチンコ機の斜視図である。
【図８】図７に示す実施形態の透明シートを、第２ガラスの高さ方向の長さだけ上方に送り、上巻き取りローラに巻き取らせた状態を示すパチンコ機の斜視図である。
【符号の説明】
【００３５】
２  パチンコ機（遊技機）
３  本体枠
４  遊技盤
５  前面扉
１５  ガラス扉
１６  第１ガラス
１７  第２ガラス（透明板）
２０  透明シート（シート）
２１  上巻き取りローラ（第１巻き取りローラ）
２１ａ  挿入孔
２２  下巻き取りローラ（第２巻き取りローラ）
２２ａ  挿入孔
２５  制御装置
２７  巻き取りスイッチ
２８  投光センサ
２９  受光センサ
３１  上巻き取りモータ（ローラ駆動部）
３１ａ  本体部
３１ｂ  回転軸
３２  下巻き取りモータ（ローラ駆動部）
３２ａ  本体部
３２ｂ  回転軸
３５  タイマ（時間計測手段）
【図１】
2005253586.tif 000003
【図２】
2005253586.tif 000004
【図３】
2005253586.tif 000005
【図４】
2005253586.tif 000006
【図５】
2005253586.tif 000007
【図６】
2005253586.tif 000008
【図７】
2005253586.tif 000009
【図８】
2005253586.tif 000010